(57)【要約】【課題】  ピックアップの高速移動時にその可動部と固定部とを安定な状態に保持することにより、これらの衝突を回避するようにしたディスクドライブ装置を提供する。【解決手段】  可動部７におけるディスク状記録媒体１とは反対側の部位とベース部材６との間に緩衝部材３４を設けると共に、可動部７がディスク状記録媒体１と情報のやりとりを行わない場合で且つピックアップ５が高速で移動する場合に、可動部７をディスク状記録媒体１と反対の方向に移動させ、可動部７が緩衝部材３４を介してベース部材６に圧接されるようにしたことを特徴とする。【選択図】      図４
2007042215.tif 000002
【特許請求の範囲】
【請求項１】
フォーカス方向とトラッキング方向に移動可能な可動部を備えたピックアップが回転しているディスク状記録媒体の径方向に移動して前記可動部から前記ディスク状記録媒体に対して情報の記録及び／又は再生を行うものであって、前記ピックアップが、前記可動部における前記ディスク状記録媒体とは反対側の部位と対向する部位を有する固定部と、前記可動部をフォーカス方向とトラッキング方向に駆動する駆動手段とを備えたディスクドライブ装置において、
前記可動部における前記ディスク状記録媒体とは反対側の部位及び／又は前記固定部における前記反対側の部位と対向する部位に緩衝手段を設けると共に、前記可動部が前記ディスク状記録媒体と情報のやりとりを行わない場合で且つ前記ピックアップが高速で移動する場合に、前記可動部を前記ディスク状記録媒体と反対の方向に移動させ、前記可動部が前記緩衝手段で緩衝されて前記固定部に圧接されるように前記駆動手段を制御することを特徴とするディスクドライブ装置。
【請求項２】
前記ピックアップが前記可動部を少なくとも二つ備え、前記ピックアップが前記ディスク状記録媒体の径方向に移動する際、いずれかの可動部が前記ディスク状記録媒体に対して情報の記録及び／又は再生を行うものであって、前記ピックアップが高速で移動する場合に、前記ディスク状記録媒体との間で情報をやりとりしない可動部を前記ディスク状記録媒体と反対の方向に移動させ、この可動部が前記緩衝手段で緩衝されて前記固定部に圧接されるようにしたことを特徴とする請求項１記載のディスクドライブ装置。
【請求項３】
前記可動部側に第１の嵌合部を設け、前記可動部が前記緩衝手段で緩衝されて前記固定部に圧接された状態で前記第１の嵌合部と協働して前記可動部のトラッキング方向の移動を阻止する第２の嵌合部を前記固定部側に設けたことを特徴とする請求項１又は請求項２記載のディスクドライブ装置。
【発明の詳細な説明】
【技術分野】
【０００１】
本発明は、フォーカス方向とトラッキング方向に移動可能な可動部を備えたピックアップが回転しているディスク状記録媒体の径方向に移動して可動部からディスク状記録媒体に対して情報の記録及び／又は再生を行うディスクドライブ装置の改良に関する。
【背景技術】
【０００２】
近年、ディスク状記録媒体の高記録密度化が進み、各種のディスク状記録媒体が規格化されている。そして、現在、これら全ての規格のディスク状記録媒体について情報の記録や再生を行うことができるディスクドライブ装置が主流となっている。
【０００３】
記録密度が異なる各種の規格のディスク状記録媒体について、情報の記録や再生を行うために、２系統のレンズを搭載したピックアップや、２系統の光学系を搭載したピックアップも提案されている。
【０００４】
この種のピックアップは、フォーカス方向とトラッキング方向に移動可能な可動部（レンズや光学系を有している）を二つ備えており、一方の可動部を使用する場合には他方の可動部は使用しない。
【０００５】
そして、この使用しない方の可動部で扱う情報の規格がディスク状記録媒体の情報の規格と異なる場合には、使用しない方の可動部は、ディスク状記録媒体より情報が得られないために、自由振動状態になる。
【０００６】
この状態でピックアップが高速シークする場合、可動部をフォーカス方向とトラッキング方向に移動可能に支持している固定部に可動部が衝突することがあり、最悪の場合には可動部が破損する。
【０００７】
この問題への対応として、反射型光センサで可動部の位置を検出して可動部が常に所定の位置になるように制御する方法が提案されているが、この場合、センサが高価で製造コストが嵩むという問題がある。
【０００８】
また、従来より、特許文献１に示す如く、レンズとディスク状記録媒体の衝突の衝撃を吸収するため等を目的として、ディスクドライブ装置に緩衝部材を設けた提案がなされている。
【０００９】
しかしながら、ピックアップの高速移動時に可動部と固定部を安定な状態に保持して、これらの衝突を回避するようにしたものは、現在のところ存在しない。
【００１０】
なお、ピックアップの高速移動時における可動部と固定部の衝突に関する問題は、二つの可動部を有するピックアップを備えたディスクドライブ装置に限られるものではなく、一つ又は三つ以上の可動部を備えたディスクドライブ装置についても同様に存在する。
【特許文献１】特開平５−２２５５８８号公報
【発明の開示】
【発明が解決しようとする課題】
【００１１】
本発明は上述した事情に鑑みて創案されたものであり、その目的とするところは、ピックアップの高速移動時にその可動部と固定部とを安定な状態に保持することにより、これらの衝突を回避するようにしたディスクドライブ装置を提供することにある。
【課題を解決するための手段】
【００１２】
上述した目的を達成するために、本発明は、フォーカス方向とトラッキング方向に移動可能な可動部を備えたピックアップが回転しているディスク状記録媒体の径方向に移動して前記可動部から前記ディスク状記録媒体に対して情報の記録及び／又は再生を行うものであって、前記ピックアップが、前記可動部における前記ディスク状記録媒体とは反対側の部位と対向する部位を有する固定部と、前記可動部をフォーカス方向とトラッキング方向に駆動する駆動手段とを備えたディスクドライブ装置において、前記可動部における前記ディスク状記録媒体とは反対側の部位及び／又は前記固定部における前記反対側の部位と対向する部位に緩衝手段を設けると共に、前記可動部が前記ディスク状記録媒体と情報のやりとりを行わない場合で且つ前記ピックアップが高速で移動する場合に、前記可動部を前記ディスク状記録媒体と反対の方向に移動させ、前記可動部が前記緩衝手段で緩衝されて前記固定部に圧接されるように前記駆動手段を制御することを特徴としている。
【発明の効果】
【００１３】
本発明のディスクドライブ装置は、ピックアップの高速移動時にディスク状記録媒体と情報のやりとりを行わない可動部が緩衝手段で緩衝されて固定部に圧接されるようにしたことで、可動部が固定部に衝突することはなく、可動部の破損等の不具合を引き起こすことがない。
【発明を実施するための最良の形態】
【００１４】
以下、本発明の一実施形態を図面に基づいて説明する。図１は本発明の一実施形態であるディスクドライブ装置の概略構成図、図２は図１のディスクドライブ装置のピックアップ周辺の概略斜視図、図３は図１のディスクドライブ装置のピックアップの要部拡大斜視図、図４は図３のピックアップのＡ方向断面図である。
【００１５】
図１において、１は光ディスク（ディスク状記録媒体）であり、スピンドルモータ２のシャフト３に固着されたフランジ４に着脱可能な状態で保持されている。スピンドルモータ２は、ピックアップ５から射出される光ビームのスポット位置で光ディスク１のピットが所定の線速度となるように駆動回路４０を介してマイクロコンピュータ２０で回転数を制御されている。
【００１６】
図２に示すように、ピックアップ５は、箱形のベース部材６を有しており、このベース部材６上には、一対の可動部７、７が搭載されている。図１では可動部７（破線で囲まれた部分）を１系統のみ図示しているが、実際には、ピックアップ５は、同様の構成のものを２系統有している。なお、本実施形態では光学系も２系統配設されているが、レーザ等は１個にして、使用する可動部７に応じて切り替えて使用する構成としても良い。
【００１７】
図２に示すように、ベース６の両側面には、側方に突出した凸部８、９が設けられており、一方の凸部８には光ディスク１の径方向に貫通したネジ孔が形成され、このネジ孔にはリードスクリュー１０が螺合している。また、他方の凸部９には光ディスク１の径方向に貫通した貫通孔が形成され、この貫通孔にはガイドバー１１が摺動自在に係合している。
【００１８】
図１に示すように、可動部７は、レーザーダイオード１２、複数のフォトダイオードにより構成される受光部１３、ハーフミラー１４、対物レンズ１５、トラッキング制御用コイル１６、フォーカス制御用コイル１７を搭載している。また、マグネット（図示せず）を備えている。
【００１９】
ピックアップ５全体はディスク１の径方向に移動可能なように構成されている。これは、リードスクリュー１０に連結されたスレッドモータ１８を駆動回路１９を介してマイクロコンピュータ２０が制御することにより実現している。
【００２０】
レーザーダイオード１２から放射されたレーザー光は対物レンズ１５を介して光ディスク１に照射され、記録信号や案内溝により変調されて反射される。この光はハーフミラー１４を介して受光部１３に入射する。なお、光ビームは詳細に図示しない回折格子等の光学系により３ビームの構成となっている。
【００２１】
アナログ信号処理回路２１は、ピックアップ５で光電変換された信号よりトラッキングエラー信号TE、フォーカスエラー信号FE、及び総和信号PEを検出して出力する。
【００２２】
トラッキングエラー信号TEはアナログデジタル変換器２２でアナログデジタル変換されてマイクロコンピュータ２０に取り込まれる。同様にフォーカスエラー信号FEはアナログデジタル変換器２３でアナログデジタル変換されてマイクロコンピュータ２０に取り込まれる。また、総和信号PEはアナログデジタル変換器２４でアナログデジタル変換されてマイクロコンピュータ２０に取り込まれる。
【００２３】
マイクロコンピュータ２０にはＲＯＭ２５接続されており、ここにはプログラムや固定データが記憶されている。また、マイクロコンピュータ２０にはＲＡＭ２６が接続されており、ここには変数値等が記憶される。
【００２４】
また、マイクロコンピュータ２０にはデジタルアナログ変換器２７が接続されており、ここではトラッキング制御駆動信号を演算したデータを出力し、この値で駆動回路２８を介してトラッキング制御用コイル１６を駆動する。
【００２５】
さらに、マイクロコンピュータ２０にはデジタルアナログ変換器２９が接続されており、ここではフォーカス制御駆動信号を演算したデータを出力し、この値で駆動回路３０を介してフォーカス制御用コイル１７を駆動する。
【００２６】
なお、本実施形態のピックアップ５は可動部７を２系統有しており、二種類の規格の光ディスクに対応できるようになっている。一方の可動部７と異なる規格の光ディスク１が装着された場合には、これをマイクロコンピュータ２０が判別して、他方の可動部７を使用する。また、これに合わせて電気系も切り替える。
【００２７】
図３にピックアップ５の詳細構造を示す。ベース部材６（固定部）は軟鉄により構成され、矩形状の底壁６ａと、その周辺に垂直に取り付けられた側壁６ｂとから成っている。なお、図面を見やすくするために、一部の側壁６ｂの図示を省略している。このベース部材６上には、一対の板状のマグネット３１、３１が、垂直且つ間隔をおいて対向するように取り付けてあり、ベース部材６と共に磁気回路を構成している。
【００２８】
可動部７は、中心に対物レンズ１５を保持するレンズホルダ３２を有しており、４本のサスペンション３３により側壁６ｂに支持され、空中に吊られた状態となっている。このサスペンション３３は、トラッキング制御用コイル１６及びフォーカス制御用コイル１７に電流を供給する機能も有している。
【００２９】
トラッキング制御用コイル１６は、可動部７を光ディスク１の記録面に平行で且つそのトラックに直交する方向に駆動するためのもので、電流の方向により駆動方向を変えることができる。
【００３０】
フォーカス制御用のコイル１７は、可動部７を光ディスク１の記録面と垂直な方向に駆動するためのもので、電流の方向により駆動方向を変えることができる。
【００３１】
図４に示すように、レンズホルダ３２は、レーザー光を通過させることができる穴３２ａを有する中空状になっており、上部に対物レンズ１５が取り付けられている。
【００３２】
ベース部材６の底壁６ａには、レーザー光を通過させるための穴６ｃが形成されており、その周囲にシート状の緩衝部材３４（緩衝手段）が敷設されている。この緩衝部材３４は、柔軟性に優れると共に摩擦係数が高く、且つ比較的安価な材料（例えばネオプレンゴム等）で構成されており、レンズホルダー３２の下面全体に対向するように形成されている。
【００３３】
従来のものでは、一方の可動部７が動作中に、ピックアップ５の高速シークを行う場合、他方の可動部７は自由振動になるので、起動時、停止時に可動部７がベース部材６の側壁６ｂに衝突する恐れがあるという問題があったが、本実施形態では、マイクロコンピュータ２０が、ＤＡコンバータ２９、ドライバ３０を介して、他方の可動部７を光ディスク１から遠ざかる方向に駆動することにより、この可動部７は緩衝部材３４を介してベース部材６の底壁６ａに圧接される。
【００３４】
これによって、この可動部７が振動し難くなるため、ベース部材６に衝突するのを防ぐことができ、破損等の不具合を引き起こすことがない。
【００３５】
次に、本発明の第２の実施形態を説明する。図５は本発明の第２の実施形態の要部断面図、図６は第２の実施形態の構造の説明図である。なお、以下の各実施形態において、第１の実施形態と同一又は類似の部分には同一の符号を用いており、重複する説明は省略してある。
【００３６】
本実施形態では、レンズホルダー３２におけるベース部材６の底壁６ａに対向する側で、且つレーザー光を通過させる穴３２ａの周囲の部位が、ベース部材６の底壁６ａに向けて突出した円錐状の突起３２ｂ（第１の嵌合部）となっている。
【００３７】
また、ベース部材６底壁６ａにおけるレンズホルダー３２と対向する側で、且つレーザー光を通過させる穴６ｃの周囲の部位が、前記円錐状の突起３２ｂと嵌合する円錐状の凹部６ｄ（第２の嵌合部）となっている。
【００３８】
そして、緩衝部材３４も、この円錐状の凹部６ｄに沿う形状に形成されている。図６は、レンズホルダー３２の円錐状の突起３２ｂと、ベース部材６の円錐状の凹部６ｄの形状を理解しやすいように示した斜視図である。
【００３９】
このような構成によれば、可動部７がベース部材６の底壁６ａに圧接される際、レンズホルダー３２の突起３２ｂが緩衝部材３４を介してベース部材６の凹部６ｄと嵌合する。これにより、レンズホルダー３２のトラッキング方向の振動が阻止され、第１の実施形態に比べて可動部７がより確実に固定されるので、可動部７のベース部材６の側壁６ｂへの衝突をより確実に防ぐことができる。
【００４０】
次に、本発明の第３の実施形態を説明する。図７は本発明の第３の実施形態の要部縦断面図である。
【００４１】
本実施形態では、レンズホルダー３２におけるベース部材６の底壁６ａに対向する側で、且つレーザー光を通過させる穴３２ａの周囲の部位が円錐状の凹部３２ｃ（第１の嵌合部）となっている。
【００４２】
また、ベース部材の底壁６ａにおけるレンズホルダー３２と対向する側で、且つレーザー光を通過させる穴６ｃの周囲の部位は、前記円錐状の凹部３２ｃと嵌合する円錐状の突起６ｅ（第２の嵌合部）となっている。
【００４３】
そして、緩衝部材３４も、この円錐状の突起６ｅに沿う形状に形成されている。このような構成によれば、第２の実施形態と同様の効果を得ることができる。
【００４４】
次に、本発明の第４の実施形態を説明する。図８は本発明の第４の実施形態の要部縦断面図である。
【００４５】
本実施形態では、レンズホルダー３２におけるベース部材６の底壁６ａに対向する側で、且つレーザー光を通過させる穴３２ａの周囲の部位に底壁６ａに向けて突出した円錐状の突起３２ｄ（第１の嵌合部）が二個設けられている。
【００４６】
また、ベース部材６の底壁６ａにおけるレンズホルダー３２と対向する側で、且つレーザー光を通過させる穴６ｃの周囲の部位にはドーナツ状の緩衝部材３４が設けられており、この緩衝部材３４には、前記円錐状の突起３２ｄと嵌合する円錐状の凹部３４ａ（第２の嵌合部）が二個設けられている。
【００４７】
このような構成によれば、第２の実施形態と同様の効果を得ることができる。なお、突起３２ｄ及び凹部３４ａは一個あるいは三個以上でも良いが、数が多いほど可動部７が安定しやすくなる。
【００４８】
次に、本発明の第５の実施形態を説明する。図９は本発明の第５の実施形態の要部縦断面図である。
【００４９】
本実施形態では、ベース部材６の底壁６ａにおけるレンズホルダー３２と対向する側で、且つレーザー光を通過させる穴６ｃの周囲の部位にレンズホルダー３２に向けて突出した円錐状の突起６ｆ（第２の嵌合部）が二個設けられている。
【００５０】
また、レンズホルダー３２におけるベース部材６の底壁６ａに対向する側で、且つレーザー光を通過させる穴３２ａの周囲の部位にはドーナツ状の緩衝部材３４が設けられており、この緩衝部材３４には、前記円錐状の突起６ｆと嵌合する円錐状の凹部３４ｂ（第１の嵌合部）が二個設けられている。
【００５１】
このような構成によれば、第２の実施形態と同様の効果を得ることができる。なお、突起６ｆ及び凹部３４ｂは一個あるいは三個以上でも良いが、数が多いほど可動部７が安定しやすくなる。
【００５２】
なお、上記の各実施形態では、ピックアップが二つの可動部を備えているディスクドライブ装置の場合について説明したが、ピックアップが一つ又は三つ以上の可動部を備えているディスクドライブ装置にも本発明を適用することができる。
【００５３】
また、上記の各実施形態では、可動部と固定部のいずれか一方に緩衝部材を設けた場合について説明したが、可動部と固定部の両方に緩衝部材を設けるようにしてもよい。
【００５４】
また、例えばレンズホルダ３２をエンジニアプラスチック等で構成する等、可動部や固定部の一部又は全部を緩衝効果を有するように構成してもよい。
【００５５】
さらに、ピックアップは、ディスク状記録媒体に対して情報の記録と再生のいずれか一方を行うものでもよく、情報の記録と再生の両方を行うものでもよい。
【００５６】
その他にも、本発明の要旨を逸脱しない範囲で上記の各実施形態に種々の改変を施すことができる。
【００５７】
本発明は、例えばＤＶＤプレーヤ、レコーダやＢＤプレーヤ、レコーダ等、ピックアップがディスク状記録媒体に対して情報の記録と再生、又はいずれか一方を行う各種のディスクドライブ装置に適用できる。
【図面の簡単な説明】
【００５８】
【図１】本発明の一実施形態であるディスクドライブ装置の概略構成図。
【図２】図１のディスクドライブ装置のピックアップ周辺の概略斜視図。
【図３】図１のディスクドライブ装置のピックアップの拡大斜視図。
【図４】図３のピックアップのＡ方向断面図。
【図５】本発明の第２の実施形態の要部断面図。
【図６】第２の実施形態の構造の説明図。
【図７】本発明の第３の実施形態の要部断面図。
【図８】本発明の第４の実施形態の要部断面図。
【図９】本発明の第５の実施形態の要部断面図。
【符号の説明】
【００５９】
１    光ディスク（ディスク状記録媒体）
５    ピックアップ
６    ベース部材（固定部）
６ｄ  凹部（第２の嵌合部）
６ｅ  突起（第２の嵌合部）
６ｆ  突起（第２の嵌合部）
７    可動部
１６    トラッキング制御用コイル（駆動手段）
１７    フォーカス制御用コイル（駆動手段）
３２ｂ  突起（第１の嵌合部）
３２ｃ  凹部（第１の嵌合部）
３２ｄ  突起（第１の嵌合部）
３４    緩衝部材（緩衝手段）
３４ａ  凹部（第２の嵌合部）
３４ｂ  凹部（第１の嵌合部）
【図１】
2007042215.tif 000003
【図２】
2007042215.tif 000004
【図３】
2007042215.tif 000005
【図４】
2007042215.tif 000006
【図５】
2007042215.tif 000007
【図６】
2007042215.tif 000008
【図７】
2007042215.tif 000009
【図８】
2007042215.tif 000010
【図９】
2007042215.tif 000011